(57)【要約】【課題】本発明は、再生装置がネットワークに接続できない状態でも、購入予約したコンテンツの再生を行うことができるコンテンツ送受信システムおよびコンテンツ送受信方法を提供することを課題とする。【解決手段】コンテンツ配信システム２０において、販売対象のコンテンツと同品質のデータファイルおよびコンテンツの購入予約が行われたことを条件に再生回数もしくは再生期間を制限してデータファイルの再生を限定的に許可する暫定ライセンスからなる暫定コンテンツデータをデータベース２２に記録しておき、再生装置３０からのリクエストに応じて、暫定コンテンツデータを再生装置３０に送信し、再生装置３０において、暫定コンテンツデータを受信してコンテンツデータ記録部３２３に記録し、データ管理部３６は、購入指示が行われたコンテンツの購入予約により、暫定コンテンツデータの再生を限定的に許可する。【選択図】        図１
2007207066.tif 000002
【特許請求の範囲】
【請求項１】
コンテンツをネットワーク経由で配信するコンテンツ配信システムと、前記ネットワーク経由で受信した前記コンテンツを記録し、記録した前記コンテンツを再生する再生装置とからなるコンテンツ送受信システムであって、
前記コンテンツ配信システムは、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータが記録されているデータベースと、
前記再生装置からのリクエストに応じて、前記暫定コンテンツデータを前記ネットワーク経由で前記再生装置に送信する暫定コンテンツ送信手段とを具備し、
前記再生装置は、前記暫定コンテンツデータの送信を要求するリクエストを前記ネットワーク経由で前記コンテンツ配信システムに送信するリクエスト送信手段と、
前記コンテンツ配信システムから送信された前記暫定コンテンツデータを受信する暫定コンテンツ受信手段と、
該暫定コンテンツ受信手段によって受信された前記暫定コンテンツデータを記録する情報記録手段と、
前記コンテンツの購入指示を入力する操作手段と、
該操作手段からの入力によって購入指示が行われた前記コンテンツの購入予約情報が記録される予約情報記録手段と、
該予約情報記録手段に前記購入予約情報が記録された前記コンテンツに対応する前記暫定コンテンツデータの再生を前記暫定ライセンスに基づいて限定的に許可するデータ管理手段とを具備することを特徴とするコンテンツ送受信システム。
【請求項２】
前記コンテンツ配信システムは、前記再生装置からの前記リクエストが受信されると、ユーザを特定する認証情報を要求して認証処理を行い、認証処理が成功した場合に、前記暫定コンテンツ送信手段によって前記暫定コンテンツデータを前記ネットワーク経由で前記再生装置に送信させるリクエスト応答手段を具備することを特徴とする請求項１記載のコンテンツ送受信システム。
【請求項３】
前記コンテンツ配信システムは、前記コンテンツの購入予約を行う発注フォーマットが記録されている発注フォーマット記録手段を具備し、
前記リクエスト応答手段は、前記認証情報もしくは前記認証処理が成功したことを示す情報を付加した前記発注フォーマットを、前記暫定コンテンツデータと共に前記暫定コンテンツ送信手段によって前記ネットワーク経由で前記再生装置に送信させることを特徴とする請求項２記載のコンテンツ送受信システム。
【請求項４】
前記再生装置の前記予約情報記録手段には、前記操作手段からの入力によって購入指示が行われた前記コンテンツを特定するコンテンツ特定情報を付加した前記発注フォーマットが前記購入予約情報として記録されることを特徴とする請求項３記載のコンテンツ送受信システム。
【請求項５】
前記再生装置は、前記予約情報記録手段に記録されている前記購入予約情報を送信する購入情報送信手段を具備し、
前記コンテンツ配信システムは、前記再生装置から前記購入情報が受信されると、購入された前記コンテンツのデータファイルを制限なく再生できる制限解除情報を前記ネットワーク経由で前記再生装置に送信する本コンテンツ送信手段を具備することを特徴とする請求項１乃至４のいずれかに記載のコンテンツ送受信システム。
【請求項６】
前記制限解除情報は、前記コンテンツのデータファイルと当該データファイルの再生を制限なく許可する本ライセンスとからなる本コンテンツデータであり、
前記再生装置のデータ管理手段は、前記コンテンツ配信システムから前記本コンテンツデータが受信されると、前記暫定コンテンツデータを前記情報記録手段から削除すると共に、前記本コンテンツデータを前記情報記録手段に記録させることを特徴とする請求項５記載のコンテンツ送受信システム。
【請求項７】
前記制限解除情報は、前記コンテンツのデータファイルの再生を制限なく許可する本ライセンスであり、
前記再生装置のデータ管理手段は、前記コンテンツ配信システムから前記本ライセンスが受信されると、前記情報記録手段に記録されている前記暫定コンテンツデータの前記暫定ライセンスを前記本ライセンスに書き換えることを特徴とする請求項５記載のコンテンツ送受信システム。
【請求項８】
前記再生装置の前記購入情報送信手段は、所定時刻もしくは電源立ち上げ時に、前記予約情報記録手段に前記購入予約情報が記録されているか否かを判断すると共に、前記ネットワークに接続可能なオンライン状態か否かを判断し、前記予約情報記録手段に前記購入予約情報が記録されており、且つ前記ネットワークに接続可能なオンライン状態である場合に、前記予約情報記録手段に記録されている前記購入予約情報を前記ネットワーク経由で前記コンテンツ配信システムに送信することを特徴とする請求項５乃至７のいずれかに記載のコンテンツ送受信システム。
【請求項９】
前記再生装置の前記リクエスト送信手段は、所定時刻もしくは電源立ち上げ時に、前記ネットワークに接続可能なオンライン状態か否かを判断し、前記ネットワークに接続可能なオンライン状態である場合に、前記リクエストを前記ネットワーク経由で前記コンテンツ配信システムに送信することを特徴とする請求項１乃至８のいずれかに記載のコンテンツ送受信システム。
【請求項１０】
前記再生装置のデータ管理手段は、前記予約情報記録手段に記録させる前記購入予約情報の数もしくは購入金額の合算を監視しており、数もしくは購入金額の合算が上限を超える場合には、予約情報記録手段への新たな前記購入予約情報の記録を禁止させることを特徴とする請求項１乃至９のいずれかに記載のコンテンツ送受信システム。
【請求項１１】
コンテンツを記録し、記録した前記コンテンツを再生する再生装置に対して、前記コンテンツをネットワーク経由で配信するコンテンツ配信システムであって、
販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータが記録されているデータベースと、
前記再生装置からのリクエストに応じて、前記暫定コンテンツデータを前記ネットワーク経由で前記再生装置に送信する暫定コンテンツ送信手段とを具備することを特徴とするコンテンツ配信システム。
【請求項１２】
前記再生装置からの前記リクエストが受信されると、ユーザを特定する認証情報を要求して認証処理を行い、認証処理が成功した場合に、前記暫定コンテンツ送信手段によって前記暫定コンテンツデータを前記ネットワーク経由で前記再生装置に送信させるリクエスト応答手段を具備することを特徴とする請求項１１記載のコンテンツ配信システム。
【請求項１３】
前記コンテンツの購入予約を行う発注フォーマットが記録されている発注フォーマット記録手段を具備し、
前記リクエスト応答手段は、前記認証情報もしくは前記認証処理が成功したことを示す情報を付加した前記発注フォーマットを、前記暫定コンテンツ送信手段によって前記暫定コンテンツデータと共に前記ネットワーク経由で前記再生装置に送信させることを特徴とする請求項１２記載のコンテンツ配信システム。
【請求項１４】
前記再生装置から前記コンテンツを購入する購入予約情報が受信されると、購入された前記コンテンツのデータファイルを制限なく再生できる制限解除情報を前記ネットワーク経由で前記再生装置に送信する本コンテンツ送信手段とを具備することを特徴とする請求項１１乃至１３のいずれかに記載のコンテンツ配信システム。
【請求項１５】
前記制限解除情報は、前記コンテンツのデータファイルと当該データファイルの再生を制限なく許可する本ライセンスとからなる本コンテンツデータであることを特徴とする請求項１４記載のコンテンツ配信システム。
【請求項１６】
前記制限解除情報は、前記コンテンツのデータファイルの再生を制限なく許可する本ライセンスであることを特徴とする請求項１４記載のコンテンツ配信システム。
【請求項１７】
コンテンツをネットワーク経由で配信するコンテンツ配信システムから受信した前記コンテンツを記録し、記録した前記コンテンツを再生する再生装置であって、
販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータの送信を要求するリクエストを前記ネットワーク経由で前記コンテンツ配信システムに送信するリクエスト送信手段と、
前記リクエストに応じて前記コンテンツ配信システムから送信された前記暫定コンテンツデータを受信する暫定コンテンツ受信手段と、
該暫定コンテンツ受信手段によって受信された前記暫定コンテンツデータを記録する情報記録手段と、
前記コンテンツの購入指示を入力する操作手段と、
該操作手段からの入力によって購入指示が行われた前記コンテンツの購入予約情報が記録される予約情報記録手段と、
該予約情報記録手段に前記購入予約情報が記録された前記コンテンツに対応する前記暫定コンテンツデータの再生を前記暫定ライセンスに基づいて限定的に許可するデータ管理手段とを具備することを特徴とする再生装置。
【請求項１８】
前記予約情報記録手段に記録されている前記購入予約情報を送信する購入情報送信手段と、
前記購入予約情報の送信に応じて前記コンテンツ配信システムから送信される、購入された前記コンテンツのデータファイルを制限なく再生できる制限解除情報を受信する制限解除情報受信手段を具備することを特徴とする請求項１７記載の再生装置。
【請求項１９】
前記制限解除情報は、前記コンテンツのデータファイルと当該データファイルの再生を制限なく許可する本ライセンスとからなる本コンテンツデータであり、
前記データ管理手段は、前記コンテンツ配信システムから前記本コンテンツデータが受信されると、前記暫定コンテンツデータを前記情報記録手段から削除すると共に、前記本コンテンツデータを前記情報記録手段に記録させることを特徴とする請求項１８記載の再生装置。
【請求項２０】
前記制限解除情報は、前記コンテンツのデータファイルの再生を制限なく許可する本ライセンスであり、
前記データ管理手段は、前記コンテンツ配信システムから前記本ライセンスが受信されると、前記情報記録手段に記録されている前記暫定コンテンツデータの前記暫定ライセンスを前記本ライセンスに書き換えることを特徴とする請求項１８記載の再生装置。
【請求項２１】
前記購入情報送信手段は、所定時刻もしくは電源立ち上げ時に、前記予約情報記録手段に前記購入予約情報が記録されているか否かを判断すると共に、前記ネットワークに接続可能なオンライン状態か否かを判断し、前記予約情報記録手段に前記購入予約情報が記録されており、且つ前記ネットワークに接続可能なオンライン状態である場合に、前記予約情報記録手段に記録されている前記購入予約情報を前記ネットワーク経由で前記コンテンツ配信システムに送信することを特徴とする請求項１７乃至２０のいずれかに記載の再生装置。
【請求項２２】
前記リクエスト送信手段は、所定時刻もしくは電源立ち上げ時に、前記ネットワークに接続可能なオンライン状態か否かを判断し、前記ネットワークに接続可能なオンライン状態である場合に、前記リクエストを前記ネットワーク経由で前記コンテンツ配信システムに送信することを特徴とする請求項１７乃至２１のいずれかに記載の再生装置。
【請求項２３】
前記データ管理手段は、前記予約情報記録手段に記録させる前記購入予約情報の数もしくは購入金額の合算を監視しており、数もしくは購入金額の合算が上限を超える場合には、予約情報記録手段への新たな前記購入予約情報の記録を禁止させることを特徴とする請求項１７乃至２２のいずれかに記載の再生装置。
【請求項２４】
コンテンツを記録し、記録した前記コンテンツを再生する再生装置に対して、前記コンテンツをネットワーク経由で配信するコンテンツ配信方法であって、
販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータを記録しておき、
前記再生装置からのリクエストに応じて、前記暫定コンテンツデータを前記ネットワーク経由で前記再生装置に送信することを特徴とするコンテンツ配信方法。
【請求項２５】
前記再生装置から前記リクエストを受信すると、ユーザを特定する認証情報を要求して認証処理を行い、認証処理が成功した場合に、前記暫定コンテンツ送信手段によって前記暫定コンテンツデータを前記ネットワーク経由で前記再生装置に送信することを特徴とする請求項２４記載のコンテンツ配信方法。
【請求項２６】
前記コンテンツの購入予約を行う発注フォーマットを記録しておき、
前記認証情報もしくは前記認証処理が成功したことを示す情報を付加した前記発注フォーマットを、前記暫定コンテンツデータと共に前記ネットワーク経由で前記再生装置に送信させることを特徴とする請求項２５記載のコンテンツ配信方法。
【請求項２７】
前記再生装置から前記コンテンツを購入する購入予約情報を受信すると、購入された前記コンテンツのデータファイルを制限なく再生できる制限解除情報を前記ネットワーク経由で前記再生装置に送信することを特徴とする請求項２４乃至２６のいずれかに記載のコンテンツ配信方法。
【請求項２８】
前記制限解除情報は、前記コンテンツのデータファイルと当該データファイルの再生を制限なく許可する本ライセンスとからなる本コンテンツデータであることを特徴とする請求項２７記載のコンテンツ配信方法。
【請求項２９】
前記制限解除情報は、前記コンテンツのデータファイルの再生を制限なく許可する本ライセンスであることを特徴とする請求項２７記載のコンテンツ配信方法。
【請求項３０】
コンテンツを記録し、記録した前記コンテンツを再生する再生装置に対して、前記コンテンツをネットワーク経由で配信するコンテンツ配信システムとして１以上の情報処理装置からなるサーバシステムを機能させるプログラムであって、
前記再生装置からのリクエストに応じて、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータを前記ネットワーク経由で前記再生装置に送信するステップを実行させることを特徴とするプログラム。
【請求項３１】
コンテンツをネットワーク経由で配信するコンテンツ配信システムから受信した前記コンテンツを記録し、記録した前記コンテンツを再生する再生装置におけるコンテンツ受信方法であって、
販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータの送信を要求するリクエストを前記ネットワーク経由で前記コンテンツ配信システムに送信し、
前記リクエストに応じて前記コンテンツ配信システムから送信された前記暫定コンテンツデータを受信して記録し、
前記コンテンツの購入指示の入力を受け付け、
購入指示が行われた前記コンテンツの購入予約情報を記録し、
前記購入予約情報を記録した前記コンテンツに対応する前記暫定コンテンツデータの再生を前記暫定ライセンスに基づいて限定的に許可することを特徴とするコンテンツ受信方法。
【請求項３２】
記録している前記購入予約情報を送信し、
前記購入予約情報の送信に応じて前記コンテンツ配信システムから送信される、購入された前記コンテンツのデータファイルを制限なく再生できる制限解除情報を受信することを特徴とする請求項３１記載のコンテンツ受信方法。
【請求項３３】
前記制限解除情報は、前記コンテンツのデータファイルと当該データファイルの再生を制限なく許可する本ライセンスとからなる本コンテンツデータであり、
前記コンテンツ配信システムから前記本コンテンツデータを受信すると、前記暫定コンテンツデータを削除すると共に、前記本コンテンツデータを記録することを特徴とする請求項３２記載のコンテンツ受信方法。
【請求項３４】
前記制限解除情報は、前記コンテンツのデータファイルの再生を制限なく許可する本ライセンスであり、
前記コンテンツ配信システムから前記本ライセンスを受信すると、記録している前記暫定コンテンツデータの前記暫定ライセンスを前記本ライセンスに書き換えることを特徴とする請求項３２記載のコンテンツ受信方法。
【請求項３５】
所定時刻もしくは電源立ち上げ時に、前記購入予約情報を記録しているか否かを判断すると共に、前記ネットワークに接続可能なオンライン状態か否かを判断し、前記購入予約情報を記録しており、且つ前記ネットワークに接続可能なオンライン状態である場合に、記録している前記購入予約情報を前記ネットワーク経由で前記コンテンツ配信システムに送信することを特徴とする請求項３１乃至３４のいずれかに記載のコンテンツ受信方法。
【請求項３６】
所定時刻もしくは電源立ち上げ時に、前記ネットワークに接続可能なオンライン状態か否かを判断し、前記ネットワークに接続可能なオンライン状態である場合に、前記リクエストを前記ネットワーク経由で前記コンテンツ配信システムに送信することを特徴とする請求項３１乃至３５のいずれかに記載のコンテンツ受信方法。
【請求項３７】
記録しておく前記購入予約情報の数もしくは購入金額の合算を監視し、
数もしくは購入金額の合算が上限を超える場合には、新たな前記購入予約情報の記録を禁止することを特徴とする請求項３１乃至３６のいずれかに記載のコンテンツ受信方法。
【請求項３８】
ネットワーク経由でコンテンツを配信するコンテンツ配信システムから受信した前記コンテンツを記録し、記録した前記コンテンツを再生する再生装置として情報処理装置を機能させるプログラムであって、
販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータの送信を要求するリクエストを前記ネットワーク経由で前記コンテンツ配信システムに送信するステップと、
前記リクエストに応じて前記コンテンツ配信システムから送信された前記暫定コンテンツデータを受信して記録するステップと、
前記コンテンツの購入指示の入力を受け付けるステップと、
購入指示が行われた前記コンテンツの購入予約情報が記録するステップと、
前記購入予約情報を記録した前記コンテンツに対応する前記暫定コンテンツデータの再生を前記暫定ライセンスに基づいて限定的に許可するステップとを実行させることを特徴とするプログラム。
【発明の詳細な説明】
【技術分野】
【０００１】
本発明は、映像や音楽等のコンテンツをインターネット等のネットワーク経由で配信するコンテンツ配信システムと、ネットワーク経由で受信したコンテンツを記録し、記録したコンテンツを再生するオーディオプレーヤ等の再生装置とからなるコンテンツ送受信システムおよびコンテンツ送受信方法に関する。
【背景技術】
【０００２】
携帯型のオーディオプレーヤ等の再生装置を用いて、インターネット等のネットワークを経由して有料のコンテンツを購入する場合では、有料のコンテンツを配信するコンテンツ配信システムに試聴用のデータファイルが用意されているのが一般的であり、ストリーミング形式で試聴用のデータファイルを再生することによって、ユーザは、コンテンツの購入の可否を判断している（例えば、特許文献１参照）。
【０００３】
しかしながら、従来技術では、試聴用のデータファイルを再生するために、常に再生装置をネットワークに接続しておく必要があると共に、コンテンツの購入手続きも再生装置をネットワークに接続した状態で行う必要があるため、再生装置がネットワークに接続できない状態では、ユーザがコンテンツの購入手続きを行うことができないという問題点があった。
【特許文献１】特開２００３−２６３１７５号公報
【発明の開示】
【発明が解決しようとする課題】
【０００４】
本発明は斯かる問題点に鑑みてなされたものであり、その目的とするところは、再生装置がネットワークに接続できない状態でも、ユーザがコンテンツ購入手続きを行うことができ、再生装置をネットワークに接続することなく、コンテンツの再生を行うことができるコンテンツ送受信システムおよびコンテンツ送受信方法を提供する点にある。
【課題を解決するための手段】
【０００５】
本発明は上記課題を解決すべく、以下に掲げる構成とした。
本発明のコンテンツ送受信システムは、コンテンツをネットワーク経由で配信するコンテンツ配信システムと、前記ネットワーク経由で受信した前記コンテンツを記録し、記録した前記コンテンツを再生する再生装置とからなるコンテンツ送受信システムであって、前記コンテンツ配信システムは、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータが記録されているデータベースと、前記再生装置からのリクエストに応じて、前記暫定コンテンツデータを前記ネットワーク経由で前記再生装置に送信する暫定コンテンツ送信手段とを具備し、前記再生装置は、前記暫定コンテンツデータの送信を要求するリクエストを前記ネットワーク経由で前記コンテンツ配信システムに送信するリクエスト送信手段と、前記コンテンツ配信システムから送信された前記暫定コンテンツデータを受信する暫定コンテンツ受信手段と、該暫定コンテンツ受信手段によって受信された前記暫定コンテンツデータを記録する情報記録手段と、前記コンテンツの購入指示を入力する操作手段と、該操作手段からの入力によって購入指示が行われた前記コンテンツの購入予約情報が記録される予約情報記録手段と、該予約情報記録手段に前記購入予約情報が記録された前記コンテンツに対応する前記暫定コンテンツデータの再生を前記暫定ライセンスに基づいて限定的に許可するデータ管理手段とを具備することを特徴とする。
【０００６】
さらに、本発明のコンテンツ送受信システムにおいては、前記コンテンツ配信システムは、前記再生装置からの前記リクエストが受信されると、ユーザを特定する認証情報を要求して認証処理を行い、認証処理が成功した場合に、前記暫定コンテンツ送信手段によって前記暫定コンテンツデータを前記ネットワーク経由で前記再生装置に送信させるリクエスト応答手段を具備することを特徴とする。
【０００７】
さらに、本発明のコンテンツ送受信システムにおいては、前記コンテンツ配信システムは、前記コンテンツの購入予約を行う発注フォーマットが記録されている発注フォーマット記録手段を具備し、前記リクエスト応答手段は、前記認証情報もしくは前記認証処理が成功したことを示す情報を付加した前記発注フォーマットを、前記暫定コンテンツデータと共に前記暫定コンテンツ送信手段によって前記ネットワーク経由で前記再生装置に送信させることを特徴とする。
【０００８】
さらに、本発明のコンテンツ送受信システムにおいては、前記再生装置の前記予約情報記録手段には、前記操作手段からの入力によって購入指示が行われた前記コンテンツを特定するコンテンツ特定情報を付加した前記発注フォーマットが前記購入予約情報として記録されることを特徴とする。
【０００９】
さらに、本発明のコンテンツ送受信システムにおいては、前記再生装置は、前記予約情報記録手段に記録されている前記購入予約情報を送信する購入情報送信手段を具備し、前記コンテンツ配信システムは、前記再生装置から前記購入情報が受信されると、購入された前記コンテンツのデータファイルを制限なく再生できる制限解除情報を前記ネットワーク経由で前記再生装置に送信する本コンテンツ送信手段を具備することを特徴とする。
【００１０】
さらに、本発明のコンテンツ送受信システムにおいては、前記制限解除情報は、前記コンテンツのデータファイルと当該データファイルの再生を制限なく許可する本ライセンスとからなる本コンテンツデータであり、前記再生装置のデータ管理手段は、前記コンテンツ配信システムから前記本コンテンツデータが受信されると、前記暫定コンテンツデータを前記情報記録手段から削除すると共に、前記本コンテンツデータを前記情報記録手段に記録させることを特徴とする。
【００１１】
さらに、本発明のコンテンツ送受信システムにおいては、前記制限解除情報は、前記コンテンツのデータファイルの再生を制限なく許可する本ライセンスであり、前記再生装置のデータ管理手段は、前記コンテンツ配信システムから前記本ライセンスが受信されると、前記情報記録手段に記録されている前記暫定コンテンツデータの前記暫定ライセンスを前記本ライセンスに書き換えることを特徴とする。
【００１２】
さらに、本発明のコンテンツ送受信システムにおいては、前記再生装置の前記購入情報送信手段は、所定時刻もしくは電源立ち上げ時に、前記予約情報記録手段に前記購入予約情報が記録されているか否かを判断すると共に、前記ネットワークに接続可能なオンライン状態か否かを判断し、前記予約情報記録手段に前記購入予約情報が記録されており、且つ前記ネットワークに接続可能なオンライン状態である場合に、前記予約情報記録手段に記録されている前記購入予約情報を前記ネットワーク経由で前記コンテンツ配信システムに送信することを特徴とする。
【００１３】
さらに、本発明のコンテンツ送受信システムにおいては、前記再生装置の前記リクエスト送信手段は、所定時刻もしくは電源立ち上げ時に、前記ネットワークに接続可能なオンライン状態か否かを判断し、前記ネットワークに接続可能なオンライン状態である場合に、前記リクエストを前記ネットワーク経由で前記コンテンツ配信システムに送信することを特徴とする。
【００１４】
さらに、本発明のコンテンツ送受信システムにおいては、前記再生装置のデータ管理手段は、前記予約情報記録手段に記録させる前記購入予約情報の数もしくは購入金額の合算を監視しており、数もしくは購入金額の合算が上限を超える場合には、予約情報記録手段への新たな前記購入予約情報の記録を禁止させることを特徴とする。
【００１５】
また、本発明のコンテンツ配信システムは、コンテンツを記録し、記録した前記コンテンツを再生する再生装置に対して、前記コンテンツをネットワーク経由で配信するコンテンツ配信システムであって、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータが記録されているデータベースと、前記再生装置からのリクエストに応じて、前記暫定コンテンツデータを前記ネットワーク経由で前記再生装置に送信する暫定コンテンツ送信手段とを具備することを特徴とする。
【００１６】
さらに、本発明のコンテンツ配信システムにおいては、前記再生装置からの前記リクエストが受信されると、ユーザを特定する認証情報を要求して認証処理を行い、認証処理が成功した場合に、前記暫定コンテンツ送信手段によって前記暫定コンテンツデータを前記ネットワーク経由で前記再生装置に送信させるリクエスト応答手段を具備することを特徴とする。
【００１７】
さらに、本発明のコンテンツ配信システムにおいては、前記コンテンツの購入予約を行う発注フォーマットが記録されている発注フォーマット記録手段を具備し、前記リクエスト応答手段は、前記認証情報もしくは前記認証処理が成功したことを示す情報を付加した前記発注フォーマットを、前記暫定コンテンツ送信手段によって前記暫定コンテンツデータと共に前記ネットワーク経由で前記再生装置に送信させることを特徴とする。
【００１８】
さらに、本発明のコンテンツ配信システムにおいては、前記再生装置から前記コンテンツを購入する購入予約情報が受信されると、購入された前記コンテンツのデータファイルを制限なく再生できる制限解除情報を前記ネットワーク経由で前記再生装置に送信する本コンテンツ送信手段とを具備することを特徴とする。
【００１９】
さらに、本発明のコンテンツ配信システムにおいては、前記制限解除情報は、前記コンテンツのデータファイルと当該データファイルの再生を制限なく許可する本ライセンスとからなる本コンテンツデータであることを特徴とする。
【００２０】
さらに、本発明のコンテンツ配信システムにおいては、前記制限解除情報は、前記コンテンツのデータファイルの再生を制限なく許可する本ライセンスであることを特徴とする。
【００２１】
また、本発明の再生装置は、コンテンツをネットワーク経由で配信するコンテンツ配信システムから受信した前記コンテンツを記録し、記録した前記コンテンツを再生する再生装置であって、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータの送信を要求するリクエストを前記ネットワーク経由で前記コンテンツ配信システムに送信するリクエスト送信手段と、前記リクエストに応じて前記コンテンツ配信システムから送信された前記暫定コンテンツデータを受信する暫定コンテンツ受信手段と、該暫定コンテンツ受信手段によって受信された前記暫定コンテンツデータを記録する情報記録手段と、前記コンテンツの購入指示を入力する操作手段と、該操作手段からの入力によって購入指示が行われた前記コンテンツの購入予約情報が記録される予約情報記録手段と、該予約情報記録手段に前記購入予約情報が記録された前記コンテンツに対応する前記暫定コンテンツデータの再生を前記暫定ライセンスに基づいて限定的に許可するデータ管理手段とを具備することを特徴とする。
【００２２】
さらに、本発明の再生装置においては、前記予約情報記録手段に記録されている前記購入予約情報を送信する購入情報送信手段と、前記購入予約情報の送信に応じて前記コンテンツ配信システムから送信される、購入された前記コンテンツのデータファイルを制限なく再生できる制限解除情報を受信する制限解除情報受信手段を具備することを特徴とする。
【００２３】
さらに、本発明の再生装置においては、前記制限解除情報は、前記コンテンツのデータファイルと当該データファイルの再生を制限なく許可する本ライセンスとからなる本コンテンツデータであり、前記データ管理手段は、前記コンテンツ配信システムから前記本コンテンツデータが受信されると、前記暫定コンテンツデータを前記情報記録手段から削除すると共に、前記本コンテンツデータを前記情報記録手段に記録させることを特徴とする。
【００２４】
さらに、本発明の再生装置においては、前記制限解除情報は、前記コンテンツのデータファイルの再生を制限なく許可する本ライセンスであり、前記データ管理手段は、前記コンテンツ配信システムから前記本ライセンスが受信されると、前記情報記録手段に記録されている前記暫定コンテンツデータの前記暫定ライセンスを前記本ライセンスに書き換えることを特徴とする。
【００２５】
さらに、本発明の再生装置においては、前記購入情報送信手段は、所定時刻もしくは電源立ち上げ時に、前記予約情報記録手段に前記購入予約情報が記録されているか否かを判断すると共に、前記ネットワークに接続可能なオンライン状態か否かを判断し、前記予約情報記録手段に前記購入予約情報が記録されており、且つ前記ネットワークに接続可能なオンライン状態である場合に、前記予約情報記録手段に記録されている前記購入予約情報を前記ネットワーク経由で前記コンテンツ配信システムに送信することを特徴とする。
【００２６】
さらに、本発明の再生装置においては、前記リクエスト送信手段は、所定時刻もしくは電源立ち上げ時に、前記ネットワークに接続可能なオンライン状態か否かを判断し、前記ネットワークに接続可能なオンライン状態である場合に、前記リクエストを前記ネットワーク経由で前記コンテンツ配信システムに送信することを特徴とする。
【００２７】
さらに、本発明の再生装置においては、前記データ管理手段は、前記予約情報記録手段に記録させる前記購入予約情報の数もしくは購入金額の合算を監視しており、数もしくは購入金額の合算が上限を超える場合には、予約情報記録手段への新たな前記購入予約情報の記録を禁止させることを特徴とする。
【００２８】
また、本発明のコンテンツ配信方法は、コンテンツを記録し、記録した前記コンテンツを再生する再生装置に対して、前記コンテンツをネットワーク経由で配信するコンテンツ配信方法であって、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータを記録しておき、前記再生装置からのリクエストに応じて、前記暫定コンテンツデータを前記ネットワーク経由で前記再生装置に送信することを特徴とする。
【００２９】
さらに、本発明のコンテンツ配信方法においては、前記再生装置から前記リクエストを受信すると、ユーザを特定する認証情報を要求して認証処理を行い、認証処理が成功した場合に、前記暫定コンテンツ送信手段によって前記暫定コンテンツデータを前記ネットワーク経由で前記再生装置に送信することを特徴とする。
【００３０】
さらに、本発明のコンテンツ配信方法においては、前記コンテンツの購入予約を行う発注フォーマットを記録しておき、前記認証情報もしくは前記認証処理が成功したことを示す情報を付加した前記発注フォーマットを、前記暫定コンテンツデータと共に前記ネットワーク経由で前記再生装置に送信させることを特徴とする。
【００３１】
さらに、本発明のコンテンツ配信方法においては、前記再生装置から前記コンテンツを購入する購入予約情報を受信すると、購入された前記コンテンツのデータファイルを制限なく再生できる制限解除情報を前記ネットワーク経由で前記再生装置に送信することを特徴とする。
【００３２】
さらに、本発明のコンテンツ配信方法においては、前記制限解除情報は、前記コンテンツのデータファイルと当該データファイルの再生を制限なく許可する本ライセンスとからなる本コンテンツデータであることを特徴とする。
【００３３】
さらに、本発明のコンテンツ配信方法においては、前記制限解除情報は、前記コンテンツのデータファイルの再生を制限なく許可する本ライセンスであることを特徴とする。
【００３４】
また、本発明のコンテンツ配信システムとして１以上の情報処理装置からなるサーバシステムを機能させるプログラムは、コンテンツを記録し、記録した前記コンテンツを再生する再生装置に対して、前記コンテンツをネットワーク経由で配信するコンテンツ配信システムとして１以上の情報処理装置からなるサーバシステムを機能させるプログラムであって、前記再生装置からのリクエストに応じて、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータを前記ネットワーク経由で前記再生装置に送信するステップを実行させることを特徴とする。
【００３５】
また、本発明のコンテンツ受信方法は、コンテンツをネットワーク経由で配信するコンテンツ配信システムから受信した前記コンテンツを記録し、記録した前記コンテンツを再生する再生装置におけるコンテンツ受信方法であって、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータの送信を要求するリクエストを前記ネットワーク経由で前記コンテンツ配信システムに送信し、前記リクエストに応じて前記コンテンツ配信システムから送信された前記暫定コンテンツデータを受信して記録し、前記コンテンツの購入指示の入力を受け付け、購入指示が行われた前記コンテンツの購入予約情報を記録し、前記購入予約情報を記録した前記コンテンツに対応する前記暫定コンテンツデータの再生を前記暫定ライセンスに基づいて限定的に許可することを特徴とする。
【００３６】
さらに、本発明のコンテンツ受信方法においては、記録している前記購入予約情報を送信し、前記購入予約情報の送信に応じて前記コンテンツ配信システムから送信される、購入された前記コンテンツのデータファイルを制限なく再生できる制限解除情報を受信することを特徴とする。
【００３７】
さらに、本発明のコンテンツ受信方法においては、前記制限解除情報は、前記コンテンツのデータファイルと当該データファイルの再生を制限なく許可する本ライセンスとからなる本コンテンツデータであり、前記コンテンツ配信システムから前記本コンテンツデータを受信すると、前記暫定コンテンツデータを削除すると共に、前記本コンテンツデータを記録することを特徴とする。
【００３８】
さらに、本発明のコンテンツ受信方法においては、前記制限解除情報は、前記コンテンツのデータファイルの再生を制限なく許可する本ライセンスであり、前記コンテンツ配信システムから前記本ライセンスを受信すると、記録している前記暫定コンテンツデータの前記暫定ライセンスを前記本ライセンスに書き換えることを特徴とする。
【００３９】
さらに、本発明のコンテンツ受信方法においては、所定時刻もしくは電源立ち上げ時に、前記購入予約情報を記録しているか否かを判断すると共に、前記ネットワークに接続可能なオンライン状態か否かを判断し、前記購入予約情報を記録しており、且つ前記ネットワークに接続可能なオンライン状態である場合に、記録している前記購入予約情報を前記ネットワーク経由で前記コンテンツ配信システムに送信することを特徴とする。
【００４０】
さらに、本発明のコンテンツ受信方法においては、所定時刻もしくは電源立ち上げ時に、前記ネットワークに接続可能なオンライン状態か否かを判断し、前記ネットワークに接続可能なオンライン状態である場合に、前記リクエストを前記ネットワーク経由で前記コンテンツ配信システムに送信することを特徴とする。
【００４１】
さらに、本発明のコンテンツ受信方法においては、記録しておく前記購入予約情報の数もしくは購入金額の合算を監視し、数もしくは購入金額の合算が上限を超える場合には、新たな前記購入予約情報の記録を禁止することを特徴とする。
【００４２】
さらに、本発明の再生装置として情報処理装置を機能させるプログラムにおいては、ネットワーク経由でコンテンツを配信するコンテンツ配信システムから受信した前記コンテンツを記録し、記録した前記コンテンツを再生する再生装置として情報処理装置を機能させるプログラムであって、販売対象の前記コンテンツと同品質のデータファイルおよび前記コンテンツの購入予約が行われたことを条件に再生回数もしくは再生期間を制限して前記データファイルの再生を限定的に許可する暫定ライセンスからなる暫定コンテンツデータの送信を要求するリクエストを前記ネットワーク経由で前記コンテンツ配信システムに送信するステップと、前記リクエストに応じて前記コンテンツ配信システムから送信された前記暫定コンテンツデータを受信して記録するステップと、前記コンテンツの購入指示の入力を受け付けるステップと、購入指示が行われた前記コンテンツの購入予約情報が記録するステップと、前記購入予約情報を記録した前記コンテンツに対応する前記暫定コンテンツデータの再生を前記暫定ライセンスに基づいて限定的に許可するステップとを実行させることを特徴とする。
【発明の効果】
【００４３】
本発明のコンテンツ送受信システムおよびコンテンツ送受信方法は、コンテンツ配信システムにおいて、販売対象のコンテンツと同品質のデータファイルおよびコンテンツの購入予約が行われたことを条件に再生回数もしくは再生期間を制限してデータファイルの再生を限定的に許可する暫定ライセンスからなる暫定コンテンツデータをデータベースに記録しておき、再生装置からのリクエストに応じて、暫定コンテンツデータをネットワーク経由で再生装置に送信し、再生装置において、暫定コンテンツデータの送信を要求するリクエストをネットワーク経由でコンテンツ配信システムに送信することで、暫定コンテンツデータをコンテンツ配信システムから受信して記録し、コンテンツの購入指示の入力を受け付けて購入指示が行われたコンテンツの購入予約情報を記録し、記録したコンテンツに対応する暫定コンテンツデータの再生を暫定ライセンスに基づいて限定的に許可するように構成することにより、ユーザが購入指示を行うことで、暫定コンテンツデータを再生可能な状態にすることができるため、再生装置がネットワークに接続できない状態でも、ユーザがコンテンツ購入手続きを行うことができ、再生装置をネットワークに接続することなく、購入予約したコンテンツの再生を行うことができるという効果を奏する。
【００４４】
さらに、本発明のコンテンツ送受信システムおよびコンテンツ送受信方法は、コンテンツ配信システムにおいて、再生装置からのリクエストが受信されると、ユーザを特定する認証情報を要求して認証処理を行い、認証処理が成功した場合に、暫定コンテンツデータをネットワーク経由で再生装置に送信するように構成することにより、認証処理を行った上で、暫定コンテンツデータを送信することができ、暫定コンテンツデータが不正に使用および流用されることを防止することができるという効果を奏する。
【００４５】
さらに、本発明のコンテンツ送受信システムおよびコンテンツ送受信方法は、コンテンツ配信システムにおいて、コンテンツの購入予約を行う発注フォーマットを記録しておき、認証情報もしくは認証処理が成功したことを示す情報を付加した発注フォーマットを、暫定コンテンツデータと共にネットワーク経由で再生装置に送信するように構成することにより、コンテンツ配信業者側で自由に発注フォーマットを変更することができ、汎用性の高いシステムを実現することができると共に、購入予約動作時における認証情報の入力を省略することができるという効果を奏する。
【００４６】
さらに、本発明のコンテンツ送受信システムおよびコンテンツ送受信方法は、再生装置において、操作手段からの入力によって購入指示が行われたコンテンツを特定するコンテンツ特定情報を付加した発注フォーマットを購入予約情報として記録するように構成することにより、再生装置がオンライン状態になったときに、購入予約情報を再生装置からコンテンツ配信システムに送信するだけで購入手続きを行うことができるため、ユーザの手を煩わせることなく購入手続きを完了させることができるという効果を奏する。
【００４７】
さらに、本発明のコンテンツ送受信システムおよびコンテンツ送受信方法は、再生装置において、記録している購入予約情報を送信し、コンテンツ配信システムにおいて、再生装置から購入情報を受信すると、購入されたコンテンツのデータファイルを制限なく再生できる制限解除情報をネットワーク経由で再生装置に送信するように構成することにより、購入手続きに伴って、データファイルの限定的な再生を簡単に解除することができるという効果を奏する。
【００４８】
さらに、本発明のコンテンツ送受信システムおよびコンテンツ送受信方法は、制限解除情報としてコンテンツのデータファイルと当該データファイルの再生を制限なく許可する本ライセンスとからなる本コンテンツデータをコンテンツ配信システムから再生装置に送信し、再生装置において、コンテンツ配信システムから本コンテンツデータが受信されると、暫定コンテンツデータを削除すると共に、本コンテンツデータを記録するように構成することにより、購入手続きに伴って、暫定コンテンツデータから本コンテンツデータへの書き換えを容易に行うことができるという効果を奏する。
【００４９】
さらに、本発明のコンテンツ送受信システムおよびコンテンツ送受信方法は、制限解除情報としてコンテンツのデータファイルの再生を制限なく許可する本ライセンスをコンテンツ配信システムから再生装置に送信し、再生装置において、コンテンツ配信システムから本ライセンスが受信されると、記録している暫定コンテンツデータの暫定ライセンスを本ライセンスに書き換えるように構成することにより、購入手続きに伴う暫定コンテンツデータから本コンテンツデータへの書き換えをコンテンツ配信システムから再生装置に再度データファイルを送信することなく行うことができ、コンテンツ購入時の通信量（時間）を短縮することができるという効果を奏する。
【００５０】
さらに、本発明のコンテンツ送受信システムおよびコンテンツ送受信方法は、再生装置において、所定時刻もしくは電源立ち上げ時に、購入予約情報を記録しているか否かを判断すると共に、ネットワークに接続可能なオンライン状態か否かを判断し、購入予約情報を記録しており、且つネットワークに接続可能なオンライン状態である場合に、記録している購入予約情報をネットワーク経由でコンテンツ配信システムに送信するように構成することにより、オンライン時にユーザが意識することなくコンテンツの購入手続きを行うことができるという効果を奏する。
【００５１】
さらに、本発明のコンテンツ送受信システムおよびコンテンツ送受信方法は、再生装置において、所定時刻もしくは電源立ち上げ時に、ネットワークに接続可能なオンライン状態か否かを判断し、ネットワークに接続可能なオンライン状態である場合に、リクエストをネットワーク経由でコンテンツ配信システムに送信するように構成することにより、ユーザが意識することなく暫定コンテンツデータを受信して再生装置に記録させておくことができるという効果を奏する。
【００５２】
さらに、本発明のコンテンツ送受信システムおよびコンテンツ送受信方法は、再生装置において、記録している購入予約情報の数もしくは購入金額の合算を監視し、数もしくは購入金額の合算が上限を超える場合には、新たな購入予約情報の記録を禁止するように構成することにより、大量のコンテンツの購入予約を行い、その後、オンラインにすることなく暫定コンテンツのみを不正に再生される場合の被害を最小限に抑えることができるという効果を奏する。
【発明を実施するための最良の形態】
【００５３】
以下、本発明の実施の形態を図面に基づいて詳細に説明する。
【００５４】
図１は、本発明に係るコンテンツ送受信システムの実施の形態の構成を示すブロック図であり、図２は、図１に示すコンテンツ配信システムのデータベースの記録内容を示す説明図であり、図３は、図１に示すコンテンツ配信システムのデータベースに記録されている暫定コンテンツデータおよび本コンテンツデータを説明するための説明図である。
【００５５】
本実施の形態のコンテンツ送受信システムは、図１を参照すると、映像や音楽等のコンテンツを配信するコンテンツ配信業者によって設置され、インターネット等のネットワーク１０を経由してコンテンツのデータファイルを送信するコンテンツ配信システム２０と、ネットワーク１０経由でコンテンツのデータファイルを受信する再生装置３０とからなる。
【００５６】
コンテンツ配信システム２０は、プログラム制御によって動作する１以上の情報処理装置からなるサーバシステムであり、再生装置３０からの各種リクエストに応答するＷｅｂサーバとしての機能と、データを配信するデータ配信サーバとしての機能とを有し、発注フォーマット記録部２１と、データベース２２と、顧客データベース２３と、リクエスト応答部２４と、送受信部２５とを備えている。
【００５７】
発注フォーマット記録部２１は、ＨＤＤ等の記録手段であり、購入するコンテンツを特定するコンテンツ特定情報を入力するコンテンツ入力欄と、ユーザを特定するユーザＩＤ等の認証情報を入力する認証情報入力欄と、購入するコンテンツの支払い方法を指定するクレジットカード番号等の決済情報を入力する決済情報入力欄とを有するＣＧＩフォーム等の発注フォーマットが記録されている。
【００５８】
データベース２２は、ＨＤＤ等の記録手段であり、図２に示すように、販売対象のコンテンツ一覧であるコンテンツリストと、コンテンツリストに記載されているコンテンツの試聴用データファイル（以下、試聴データと称す）と、コンテンツリストに記載されているコンテンツの暫定データファイル（以下、暫定コンテンツデータと称す）と、コンテンツリストに記載されているコンテンツの正式なデータファイル（以下、本コンテンツデータと称す）とが記録されており、試聴データ、暫定コンテンツデータおよび本コンテンツデータには、コンテンツ名、アーティスト名等の書誌情報がタグ情報として含まれている。
【００５９】
データベース２２に記録されている試聴データは、コンテンツのライセンス所有者がユーザに対してコンテンツの購入可否の判断材料として無料での提供を許諾したデータであり、通常、本コンテンツデータの一部（冒頭部分やサビ部分）や、本コンテンツデータよりも低品質のデータで構成されている。なお、試聴データに再生回数もしくは再生期間を制限する制限情報を付加し、再生装置３０で再生する回数および期間を制限させるようにすると、試聴データが不正に使用および流用されることを防止することができる。さらに、試聴データにデジタル出力を禁止する禁止情報を付加し、再生装置３０から外部へのデジタル出力を禁止させるようにすると、さらに試聴データが不正に使用および流用されることを防止することができる。
【００６０】
データベース２２に記録されている本コンテンツデータは、図３（ａ）に示すように、制限なくデータファイルの再生を許可する本ライセンスと、当該本ライセンスへのポインタを有するデータファイルとからなると共に、データベース２２に記録されている暫定コンテンツデータは、図３（ｂ）に示すように、購入予約が行われたことを条件に、再生回数もしくは再生期間を制限して限定的にデータファイルの再生を許可する暫定ライセンスと、当該暫定ライセンスへのポインタを有するデータファイルとからなり、暫定コンテンツデータのデータファイルは、本コンテンツデータのデータファイルと同品質になっている。
【００６１】
なお、図２には、データベース２２に、楽曲Ａ〜Ｃの３コンテンツが記載されたコンテンツリストと、当該コンテンツリストに記載された楽曲Ａ〜Ｃの試聴データ、暫定コンテンツデータおよび本コンテンツデータがそれぞれ記録された例を示したが、コンテンツリストは、「最新曲」や「ベストヒット」等のコンテンツ配信業者の選択によって作成され、コンテンツリストに記載されるコンテンツの数は、任意である。また、複数の異なるコンテンツリストを記録させておくようにしても良く、この場合には、ユーザによって選択されたコンテンツリストがコンテンツ配信システム２０から再生装置３０に送信される。
【００６２】
顧客データベース２３は、ＨＤＤ等の記録手段であり、ユーザＩＤやパスワード等の認証情報と、ユーザが登録したクレジットカード番号等の決済情報とからなるユーザ情報が記録されている。
【００６３】
リクエスト応答部２４は、再生装置３０からのリストリクエストが受信されると、ユーザを認証するための認証情報の送信を要求する認証リクエストを送受信部２５によってネットワーク１０経由で再生装置３０に送信すると共に、再生装置３０からの認証情報が受信されると、受信した認証情報と顧客データベース２３に記録されているユーザ情報とを比較してユーザの認証を行う認証処理を行って認証処理が成功したか否かを判断し、認証に成功した場合には、リストリクエストによって送信を要求されたコンテンツリストをデータベース２２から読み出して、読み出したコンテンツリストを送受信部２５によってネットワーク１０経由で再生装置３０に送信する。また、リクエスト応答部２４は、再生装置３０からの試聴データリクエストが受信されると、試聴データリクエストによって送信を要求された試聴データおよび暫定コンテンツデータをデータベース２２から読み出すと共に、発注フォーマットを発注フォーマット記録部２１から読み出して、読み出した試聴データ、発注フォーマットおよび暫定コンテンツデータを送受信部２５によってネットワーク１０経由で再生装置３０に送信する。また、リクエスト応答部２４は、再生装置３０からの発注フォーマットが受信されると、発注フォーマットの認証情報入力欄に入力された認証情報に基づいて認証処理を行うと共に、決済情報入力欄に入力された決済情報に基づいて決済処理を行い、認証処理および決済処理が正常に行われると、発注フォーマットのコンテンツ入力欄に入力されたコンテンツ特定情報で特定される本コンテンツデータを送受信部２５によってネットワーク１０経由で再生装置３０に送信する。
【００６４】
送受信部２５は、有線もしくは無線でネットワーク１０に接続する機能を有し、ネットワーク１０を介して再生装置３０と情報通信を行う。
【００６５】
再生装置３０は、プログラム制御によって動作し、映像や音楽等のコンテンツを再生するオーディオプレーヤ等の携帯型の再生装置であり、インターネット等のネットワーク１０に接続可能に構成され、送受信部３１と、情報記録部３２と、液晶ディスプレイ等の表示部３３と、操作部３４と、再生処理部３５と、データ管理部３６とを備えている。
【００６６】
送受信部３１は、有線もしくは無線でネットワーク１０に接続する機能を有し、コンテンツ配信システム２０と情報通信を行う。
【００６７】
情報記録部３２は、ＨＤＤやシリコンメモリ等の記録手段であり、コンテンツ配信システム２０から受信したコンテンツリスト、試聴データおよび発注フォーマットが記録される試聴データ記録部３２１と、コンテンツを購入するための予約情報が記録される予約情報記録部３２２と、コンテンツ配信システム２０から受信した暫定コンテンツデータおよび本コンテンツデータが記録されるコンテンツデータ記録部３２３とからなる。
【００６８】
表示部３３は、液晶ディスプレイ等の表示手段であり、再生処理部３５によって再生された映像が表示されると共に、試聴データ記録部３２１に記録されているコンテンツリストが表示される。
【００６９】
操作部３４は、操作ボタン等の操作手段であり、表示部３３へのコンテンツリストの表示を指示するリスト表示指示入力、表示部３３に表示されたコンテンツリストから再生する試聴データを選択して再生を指示する再生指示入力、コンテンツの購入を指示する購入指示入力、ユーザを特定するユーザＩＤ等の認証情報を入力する認証情報入力、購入するコンテンツの支払い方法を指定するクレジットカード番号等の決済情報を入力する決済情報入力が行われる。
【００７０】
再生処理部３５は、情報記録部３２の試聴データ記録部３２１およびコンテンツデータ記録部３２３にそれぞれ記録されている試聴データ、暫定コンテンツデータおよび本コンテンツデータを伸長して再生し、映像は、表示部３３に表示させ、音声は、接続されたヘッドフォン５０に出力する。
【００７１】
データ管理部３６は、送受信部３１によってネットワーク１０経由でコンテンツ配信システム２０にリストリクエストを送信させることで、コンテンツリストをコンテンツ配信システム２０から受信すると共に、送受信部３１によってネットワーク１０経由でコンテンツ配信システム２０に試聴データリクエストを送信させることで、試聴データ、暫定コンテンツデータおよび発注フォーマットをコンテンツ配信システム２０から受信し、受信したコンテンツリスト、試聴データおよび発注フォーマットを試聴データ記録部３２１に、受信した暫定コンテンツデータをコンテンツデータ記録部３２３にそれぞれ記録させる。また、データ管理部３６は、操作部３４から購入指示入力が行われると、操作部３４から認証情報入力と決済情報入力とを受け付け、試聴データ記録部３２１に記録されている発注フォーマットのコンテンツ入力欄、認証情報入力欄および決済情報入力欄に、購入対象のコンテンツを特定するコンテンツ特定情報、操作部３４から入力された認証情報および操作部３４から入力された決済情報をそれぞれ入力し、コンテンツ特定情報、認証情報および決済情報を入力した発注フォーマットを購入予約情報として予約情報記録部３２２に記録させる。さらに、データ管理部３６は、送受信部３１によって予約情報記録部３２２に記録されている発注フォーマットをネットワーク１０経由でコンテンツ配信システム２０に送信することで、有料の本コンテンツデータを受信して記録させる。
【００７２】
次に、本実施の形態の動作について図４乃至図１０を参照して詳細に説明する。
図４は、図１に示す再生装置における試聴データ受信動作を説明するためのフローチャートであり、図５は、図１に示すコンテンツ配信システムにおける試聴データ送信動作およびコンテンツデータ送信動作を説明するためのフローチャートであり、図６は、図１に示す情報記録部の試聴データ受信時の状態を説明する説明図であり、図７は、図１に示す再生装置における購入予約動作を説明するためのフローチャートであり、図８は、図１に示す情報記録部の購入予約実行時の状態を説明する説明図であり、図９は、図１に示す再生装置における本コンテンツデータ受信動作を説明するためのフローチャートであり、図１０は、図１に示す情報記録部の本コンテンツデータ受信時の状態を説明する説明図である。
【００７３】
まず、再生装置３０におけるコンテンツ配信システム２０から試聴データを受信する試聴データ受信動作について図４乃至図６を参照して詳細に説明する。
コンテンツ配信システム２０から再生装置３０への試聴データおよび暫定コンテンツデータの送信は、再生装置３０がオンライン状態、すなわちネットワーク１０と通信可能な状態で行われる。なお、本実施の形態では、自宅等においてコンテンツ配信システム２０をＬＡＮケーブル接続やクレードルへの載置によってネットワーク１０に接続し、コンテンツ配信システム２０と通信可能な状態である場合や、ホットスポットと呼称される無線ＬＡＮやBluetooth等のアクセスポイントにコンテンツ配信システム２０を配置させることによって、コンテンツ配信システム２０と通信可能な状態である場合をオンラインと称し、また、コンテンツ配信システム２０がネットワーク１０に接続されておらず、コンテンツ配信システム２０と通信不能な状態をオフラインと称す。
【００７４】
再生装置３０のデータ管理部３６は、予め定められた所定時刻への到達を監視しており（ステップＡ１）、予め定められた所定時刻に到達すると、再生装置３０がオンライン状態であるか否か、すなわちネットワーク１０経由でコンテンツ配信システム２０と通信可能な状態であるか否かを判断する（ステップＡ２）。
【００７５】
再生装置３０がオンライン状態である場合、すなわちネットワーク１０経由でコンテンツ配信システム２０と通信可能な状態である場合には、試聴データ受信動作が開始され、再生装置３０がオンライン状態でない場合、すなわちネットワーク１０経由でコンテンツ配信システム２０と通信不能な状態である場合には、ステップＡ１に戻り、次回の所定時刻への到達まで待機されることになる。なお、本実施の形態では、予め定められた所定時刻への到達によって試聴データ受信動作が開始されるように構成したが、再生装置３０の電源が立ち上げ時や、ユーザの操作によって試聴データ受信動作が開始されるようにしても良い。
【００７６】
データ管理部３６は、試聴データ受信動作として、まず、送受信部３１によってネットワーク１０経由でコンテンツ配信システム２０にリストリクエストを送信させる（ステップＡ３）。なお、リストリクエストは、コンテンツ配信システム２０のデータベース２２に記録されているコンテンツリストの送信要求であり、データベース２２に複数の異なるコンテンツリストが記録されている場合には、ユーザの選択によって送信要求するコンテンツリストを予め設定できるようにすると良い。
【００７７】
コンテンツ配信システム２０のリクエスト応答部２４は、リストリクエストの受信を監視しており（ステップＢ１）、送受信部２５によってネットワーク１０経由で再生装置３０からのリストリクエストが受信されると、ユーザを認証するための認証情報の送信を要求する認証リクエストを送受信部２５によってネットワーク１０経由で再生装置３０に送信する（ステップＢ２）
【００７８】
再生装置３０のデータ管理部３６は、送受信部３１によってネットワーク１０経由でコンテンツ配信システム２０からの認証リクエストが受信されると（ステップＡ４）、予め登録されている認証情報、もしくはユーザによって操作部３４から入力された認証情報を送受信部３１によってネットワーク１０経由でコンテンツ配信システム２０に送信させる（ステップＡ５）。
【００７９】
コンテンツ配信システム２０のリクエスト応答部２４は、送受信部２５によってネットワーク１０経由で再生装置３０からの認証情報が受信されると（ステップＢ３）、受信した認証情報と顧客データベース２３に記録されているユーザ情報とを比較してユーザの認証を行う認証処理を行って認証処理が成功したか否かを判断し（ステップＢ４）、認証に失敗した場合には、認証を失敗したこと知らせる認証エラー情報を送受信部２５によってネットワーク１０経由で再生装置３０に送信し（ステップＢ５）、認証に成功した場合には、リストリクエストによって送信を要求されたコンテンツリストをデータベース２２から読み出して、読み出したコンテンツリストを送受信部２５によってネットワーク１０経由で再生装置３０に送信する（ステップＢ６）。なお、本実施の形態では、顧客データベース２３に決済情報が記録されていることを前提としたが、顧客データベース２３に決済情報が記録されていない場合には、ステップＢ２でクレジットカード番号等の決済情報の送信を要求する決済リクエストを認証リクエストと共にコンテンツ配信システム２０から再生装置３０に送信させ、ステップＡ５で予め登録されている決済情報、もしくはユーザによって操作部３４から入力された決済情報を認証情報と共に再生装置３０からコンテンツ配信システム２０に送信させるようにすると良い。
【００８０】
再生装置３０のデータ管理部３６は、送受信部３１によってネットワーク１０経由でコンテンツ配信システム２０からのコンテンツリストが受信されると（ステップＡ６）、試聴データ記録部３２１を参照することで、送受信部３１によって受信されたコンテンツリストが過去に受信されておらず、試聴データ記録部３２１に記録されていない更新されたコンテンツリストであるか否かを判断する（ステップＡ７）。
【００８１】
ステップＡ７で更新されたコンテンツリストでない場合には、ステップＡ１に戻り、次回の所定時刻への到達まで待機されることになる。また、ステップＡ７で更新されたコンテンツリストである場合には、データ管理部３６は、送受信部３１によってネットワーク１０経由でコンテンツ配信システム２０に試聴データリクエストを送信させる（ステップＡ８）。なお、試聴データリクエストは、コンテンツ配信システム２０のデータベース２２に記録され、コンテンツリストに記載されているコンテンツの試聴データおよび暫定コンテンツデータの送信要求である。
【００８２】
コンテンツ配信システム２０のリクエスト応答部２４は、試聴データリクエストの受信を監視しており（ステップＢ７）、送受信部２５によってネットワーク１０経由で再生装置３０からの試聴データリクエストが受信されると、試聴データリクエストによって送信を要求された試聴データおよび暫定コンテンツデータをデータベース２２から読み出すと共に、発注フォーマットを発注フォーマット記録部２１から読み出して、読み出した試聴データ、発注フォーマットおよび暫定コンテンツデータを送受信部２５によってネットワーク１０経由で再生装置３０に送信する（ステップＢ８）。なお、ステップＢ８では、リクエスト応答部２４によって発注フォーマットの認証情報入力欄および決済情報入力欄に認証情報および決済情報がそれぞれ入力された状態で再生装置３０からコンテンツ配信システム２０に送信される。また、発注フォーマットの認証情報入力欄および決済情報入力欄に認証情報および決済情報をそれぞれ入力する代わりに、認証処理が成功し、決済情報が登録されている情報を発注フォーマットに付加するようにしても良い。
【００８３】
再生装置３０のデータ管理部３６は、送受信部３１によってネットワーク１０経由でコンテンツ配信システム２０からの試聴データ、発注フォーマットおよび暫定コンテンツデータが受信されると（ステップＡ９）、図６に示すように、コンテンツリストと試聴データと発注フォーマットとを試聴データ記録部３２１に記録させると共に、暫定コンテンツデータをコンテンツデータ記録部３２３に記憶させ（ステップＡ１０）、ステップＡ１に戻り、次回の所定時刻への到達まで待機されることになる。
【００８４】
次に、再生装置３０における購入予約動作について図７および図８を参照して詳細に説明する。
再生装置３０における購入予約動作は、再生装置３０がオフライン状態、すなわちネットワーク１０と通信不能な状態で行うことができる。
【００８５】
再生装置３０のデータ管理部３６は、ユーザによって操作部３４から行われるリスト表示指示入力を監視しており（ステップＣ１）、リスト表示指示入力が行われると、試聴データ記録部３２１に記録されているコンテンツリストの中からリスト表示指示によって指示されたコンテンツリストを試聴データ記録部３２１から読み出して、読み出したコンテンツリストを表示部３３に表示させる（ステップＣ２）。
【００８６】
次に、ユーザは、表示部３３に表示されたコンテンツリストを視認し、操作部３４によって試聴したいコンテンツを選択して再生を指示する再生指示入力を行う。データ管理部３６は、操作部３４から行われる再生指示入力を監視しており（ステップＣ３）、再生指示入力が行われると、再生が指示されたコンテンツの試聴データの再生を再生処理部３５に指示し、再生処理部３５は、試聴データ記録部３２１に記録されている試聴データを伸長して再生し、映像は、表示部３３に表示させ、音声は、接続されたヘッドフォン５０に出力する（ステップＣ４）。
【００８７】
次に、ユーザは、再生出力された試聴データに基づいてコンテンツの購入の可否を判断し、コンテンツを購入する場合には、操作部３４によってコンテンツの購入を指示する購入指示入力を行う。データ管理部３６は、操作部３４から行われる購入指示入力を監視しており（ステップＣ５）、購入指示入力が行われると、データ管理部３６は、試聴データ記録部３２１に記録されている発注フォーマットのコンテンツ入力欄に、購入対象のコンテンツを特定するコンテンツ特定情報を入力し、図８に示すように、コンテンツ特定情報および認証情報が入力された発注フォーマットを購入予約情報として予約情報記録部３２２に記録させると共に（ステップＣ６）、購入を指示したコンテンツの暫定コンテンツデータの再生を許可し（ステップＣ７）、ステップＣ３に戻って、次の再生指示入力を監視する。
【００８８】
これにより、データ管理部３６によって、オフライン状態でユーザが購入を決定したコンテンツ、すなわち予約情報記録部３２２に購入予約情報が記録されたコンテンツの暫定コンテンツデータの限定的な再生が暫定ライセンスに基づいて許可されることになる。これにより、オフライン状態にも拘わらず、購入を決定した直後から本コンテンツデータと同品質のデータファイルによって再生を行うことが可能になる。
【００８９】
なお、図８には、楽曲Ａおよび楽曲Ｃの購入が指示され、楽曲Ａおよび楽曲Ｃの購入を予約するそれぞれの発注フォーマットが記録され、楽曲Ａおよび楽曲Ｃの暫定コンテンツデータの再生が許可されている例を示しているが、１つの発注フォーマットによって複数のコンテンツを特定、すなわちコンテンツ入力欄に複数のコンテンツを特定するコンテンツ特定情報を入力可能に構成するようにしても良い。この場合には、認証情報および決済情報の１回の入力で複数のコンテンツの購入予約を行うことが可能になる。
【００９０】
また、データ管理部３６は、操作部３４から行われる購入予約動作の終了を指示する終了指示入力を監視しており（ステップＣ８）、ステップＣ３で再生指示入力が行われることなく終了指示入力が行われた場合と、ステップＣ５で購入指示入力が行われることなく終了指示入力が行われた場合とには、購入予約動作を終了させる。
【００９１】
次に、再生装置３０におけるコンテンツ配信システム２０から本コンテンツデータを受信するコンテンツデータ受信動作について図５、図９および図１０を参照して詳細に説明する。
コンテンツ配信システム２０から再生装置３０への本コンテンツデータの送信は、再生装置３０がオンライン状態、すなわちネットワーク１０と通信可能な状態で行われる。
【００９２】
再生装置３０の電源が立ち上げられると、データ管理部３６は、購入予約情報が存在するか否か、すなわち予約情報記録部３２２に発注フォーマットが記録されているか否かを判断し（ステップＤ１）、購入予約情報がある場合には、再生装置３０がオンライン状態であるか否か、すなわちネットワーク１０経由でコンテンツ配信システム２０と通信可能な状態であるか否かを判断する（ステップＣ２）。なお、本実施の形態では、再生装置３０の電源が立ち上げ時に購入予約情報が存在するか否かを判断するように構成したが、予め定められた所定時刻への到達や、ユーザの操作によって購入予約情報が存在するか否かを判断するようにしても良い。
【００９３】
ステップＤ１で購入予約情報が存在しない場合と、ステップＤ２で再生装置３０がオンライン状態でない場合には、データ管理部３６は、コンテンツデータ受信動作を終了し、ステップＤ２で再生装置３０がオンライン状態である場合には、送受信部３１によって予約情報記録部３２２に記録されている発注フォーマットをネットワーク１０経由でコンテンツ配信システム２０に送信させる（ステップＤ３）。
【００９４】
コンテンツ配信システム２０のリクエスト応答部２４は、発注フォーマットの受信を監視しており（ステップＢ９）、送受信部２５によってネットワーク１０経由で再生装置３０からの発注フォーマットが受信されると、発注フォーマットの認証情報入力欄に入力された認証情報に基づいて認証処理を行うと共に、決済情報入力欄に入力された決済情報に基づいて決済処理を行い（ステップＢ１０）、認証処理および決済処理が正常に行われると、発注フォーマットのコンテンツ入力欄に入力されたコンテンツ特定情報で特定される本コンテンツデータを送受信部２５によってネットワーク１０経由で再生装置３０に送信する（ステップＢ１１）。
【００９５】
再生装置３０のデータ管理部３６は、送受信部３１によってネットワーク１０経由でコンテンツ配信システム２０からの本コンテンツデータが受信されると（ステップＤ４）、図１０に示すように、購入したコンテンツが記載されているコンテンツリストと、コンテンツリストに対応する試聴データと、発注フォーマットとを試聴データ記録部３２１から削除すると共に、暫定コンテンツデータをコンテンツデータ記録部３２３から削除し（ステップＤ５）、コンテンツデータ記録部３２３に受信した本コンテンツデータを記録させる（ステップＤ６）。
【００９６】
なお、本実施の形態では、ステップＤ５で暫定コンテンツデータをコンテンツデータ記録部３２３から削除するように構成したが、「本ライセンス」と「本ライセンスへのポインタ」とをコンテンツ配信システム２０から再生装置３０に送信することで、暫定コンテンツデータの「暫定ライセンス」を「本ライセンス」に、データファイルが有する「暫定ライセンスへのポインタ」を「本ライセンスへのポインタ」にそれぞれ書き換え、暫定コンテンツデータを本コンテンツデータに書き換えるようにしても良い。この場合には、コンテンツ配信システム２０から再生装置３０に再度データファイルを送信する必要がないため、コンテンツ購入時の通信量（時間）を短縮することができる。
【００９７】
また、本実施の形態では、オフラインでの購入予約で本コンテンツと同品質のデータファイルの再生が可能となるため、大量のコンテンツの購入予約を行い、その後、オンラインにすることなく暫定コンテンツのみを不正に再生する恐れがある。従って、ユーザかオフラインで購入予約することができるコンテンツの数もしくは購入金額の上限を設定しておくようにすると好適である。この場合には、データ管理部３６によって予約情報記録部３２２に記録させる購入予約情報の数もしくは購入金額の合算を監視させ、数もしくは購入金額の合算が上限を超える場合には、予約情報記録部３２２への新たな購入予約情報の記録を禁止させるように制御すると良い。
【００９８】
以上説明したように、本実施の形態によれば、コンテンツ配信システム２０において、販売対象のコンテンツと同品質のデータファイルおよびコンテンツの購入予約が行われたことを条件に再生回数もしくは再生期間を制限してデータファイルの再生を限定的に許可する暫定ライセンスからなる暫定コンテンツデータをデータベース２２に記録しておき、再生装置３０からのリクエストに応じて、暫定コンテンツデータをネットワーク１０経由で再生装置３０に送信し、再生装置３０において、暫定コンテンツデータの送信を要求するリクエストをネットワーク１０経由でコンテンツ配信システム２０に送信することで、暫定コンテンツデータをコンテンツ配信システム２０から受信してコンテンツデータ記録部３２３に記録し、操作部３４からコンテンツの購入指示の入力を受け付けて購入指示が行われたコンテンツの購入予約情報を予約情報記録部３２２に記録し、データ管理部３６は、予約情報記録部３２２に記録したコンテンツに対応する暫定コンテンツデータの再生を暫定ライセンスに基づいて限定的に許可するように構成することにより、ユーザが購入指示を行うことで、暫定コンテンツデータを再生可能な状態にすることができるため、再生装置３０がネットワーク１０に接続できない状態でも、ユーザがコンテンツ購入手続きを行うことができ、再生装置３０をネットワーク１０に接続することなく、コンテンツの再生を行うことができるという効果を奏する。
【００９９】
さらに、本実施の形態によれば、コンテンツ配信システム２０において、再生装置３０からのリクエストが受信されると、ユーザを特定する認証情報を要求して認証処理を行い、認証処理が成功した場合に、暫定コンテンツデータをネットワーク１０経由で再生装置３０に送信するように構成することにより、認証処理を行った上で、暫定コンテンツデータを送信することができ、暫定コンテンツデータが不正に使用および流用されることを防止することができるという効果を奏する。
【０１００】
さらに、本実施の形態によれば、コンテンツ配信システム２０において、コンテンツの購入予約を行う発注フォーマットを発注フォーマット記録部２１に記録しておき、認証情報もしくは認証処理が成功したことを示す情報を付加した発注フォーマットを、暫定コンテンツデータと共にネットワーク１０経由で再生装置３０に送信するように構成することにより、コンテンツ配信業者側で自由に発注フォーマットを変更することができ、汎用性の高いシステムを実現することができると共に、購入予約動作時における認証情報の入力を省略することができるという効果を奏する。
【０１０１】
さらに、本実施の形態によれば、再生装置３０において、操作部３４からの入力によって購入指示が行われたコンテンツを特定するコンテンツ特定情報を付加した発注フォーマットを購入予約情報として予約情報記録部３２２に記録するように構成することにより、再生装置がオンライン状態になったときに、購入予約情報を再生装置３０からコンテンツ配信システム２０に送信するだけで購入手続きを行うことができるため、ユーザの手を煩わせることなく購入手続きを完了させることができるという効果を奏する。
【０１０２】
さらに、本実施の形態によれば、再生装置３０において、予約情報記録部３２２に記録している購入予約情報を送信し、コンテンツ配信システム２０において、再生装置３０から購入情報を受信すると、購入されたコンテンツのデータファイルを制限なく再生できる制限解除情報をネットワーク１０経由で再生装置３０に送信するように構成することにより、購入手続きに伴って、データファイルの限定的な再生を簡単に解除することができるという効果を奏する。
【０１０３】
さらに、本実施の形態によれば、制限解除情報としてコンテンツのデータファイルと当該データファイルの再生を制限なく許可する本ライセンスとからなる本コンテンツデータをコンテンツ配信システム２０から再生装置３０に送信し、再生装置３０において、コンテンツ配信システム２０から本コンテンツデータが受信されると、暫定コンテンツデータをコンテンツデータ記録部３２３から削除すると共に、本コンテンツデータをコンテンツデータ記録部３２３に記録するように構成することにより、購入手続きに伴って、暫定コンテンツデータから本コンテンツデータへの書き換えを容易に行うことができるという効果を奏する。
【０１０４】
さらに、本実施の形態によれば、制限解除情報としてコンテンツのデータファイルの再生を制限なく許可する本ライセンスをコンテンツ配信システム２０から再生装置３０に送信し、再生装置３０において、コンテンツ配信システム２０から本ライセンスが受信されると、コンテンツデータ記録部３２３に記録している暫定コンテンツデータの暫定ライセンスを本ライセンスに書き換えるように構成することにより、購入手続きに伴う暫定コンテンツデータから本コンテンツデータへの書き換えをコンテンツ配信システム２０から再生装置３０に再度データファイルを送信することなく行うことができ、コンテンツ購入時の通信量（時間）を短縮することができるという効果を奏する。
【０１０５】
さらに、本実施の形態によれば、再生装置３０において、所定時刻もしくは電源立ち上げ時に、予約情報記録部３２２に購入予約情報を記録しているか否かを判断すると共に、ネットワーク１０に接続可能なオンライン状態か否かを判断し、予約情報記録部３２２に購入予約情報を記録しており、且つネットワーク１０に接続可能なオンライン状態である場合に、予約情報記録部３２２に記録している購入予約情報をネットワーク１０経由でコンテンツ配信システム２０に送信するように構成することにより、オンライン時にユーザが意識することなくコンテンツの購入手続きを行うことができるという効果を奏する。
【０１０６】
さらに、本実施の形態によれば、再生装置３０において、所定時刻もしくは電源立ち上げ時に、ネットワーク１０に接続可能なオンライン状態か否かを判断し、ネットワーク１０に接続可能なオンライン状態である場合に、リクエストをネットワーク１０経由でコンテンツ配信システム２０に送信するように構成することにより、ユーザが意識することなく暫定コンテンツデータを受信して再生装置に記録させておくことができるという効果を奏する。
【０１０７】
さらに、本実施の形態によれば、再生装置３０において、予約情報記録部３２２に記録している購入予約情報の数もしくは購入金額の合算を監視し、数もしくは購入金額の合算が上限を超える場合には、新たな購入予約情報の予約情報記録部３２２への記録を禁止するように構成することにより、大量のコンテンツの購入予約を行い、その後、オンラインにすることなく暫定コンテンツのみを不正に再生される場合の被害を最小限に抑えることができるという効果を奏する。
【０１０８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【０１０９】
【図１】本発明に係る本発明に係るコンテンツ送受信システムの実施の形態の構成を示すブロック図である。
【図２】図１に示すコンテンツ配信システムのデータベースの記録内容を示す説明図である。
【図３】図１に示すコンテンツ配信システムのデータベースに記録されている暫定コンテンツデータおよび本コンテンツデータを説明するための説明図である。
【図４】図１に示す再生装置における試聴データ受信動作を説明するためのフローチャートである。
【図５】図１に示すコンテンツ配信システムにおける試聴データ送信動作およびコンテンツデータ送信動作を説明するためのフローチャートである。
【図６】図１に示す情報記録部の試聴データ受信時の状態を説明する説明図である。
【図７】図１に示す再生装置における購入予約動作を説明するためのフローチャートである。
【図８】図１に示す情報記録部の購入予約実行時の状態を説明する説明図である。
【図９】図１に示す再生装置における本コンテンツデータ受信動作を説明するためのフローチャートである。
【図１０】図１に示す情報記録部の本コンテンツデータ受信時の状態を説明する説明図である。
【符号の説明】
【０１１０】
１０  ネットワーク
２０  コンテンツ配信システム
２１  発注フォーマット記録部
２２  データベース
２３  顧客データベース
２４  リクエスト応答部
２５  送受信部
３０  再生装置
３１  送受信部
３２  情報記録部
３３  表示部
３４  操作部
３５  再生処理部
３６  データ管理部
５０  ヘッドフォン
３２１  試聴データ記録部
３２２  予約情報記録部
３２３  コンテンツデータ記録部
【図１】
2007207066.tif 000003
【図２】
2007207066.tif 000004
【図３】
2007207066.tif 000005
【図４】
2007207066.tif 000006
【図５】
2007207066.tif 000007
【図６】
2007207066.tif 000008
【図７】
2007207066.tif 000009
【図８】
2007207066.tif 000010
【図９】
2007207066.tif 000011
【図１０】
2007207066.tif 000012